【事件の表示】
　平成　９年特許願第　５８９６４号「リチウム・ポリマ二次電池」拒絶査定不服審判事件〔平成１０年　９月２５日出願公開、特開平１０−２５５８４２〕について、次のとおり審決する。
【結　論】
　本件審判の請求は、成り立たない。
【理　由】
１．手続の経緯・本願発明
　本願は、平成９年３月１３日の出願であって、平成１５年１１月４日付けで拒絶査定がなされ、これに対し、平成１５年１２月１１日付けで拒絶査定に対する審判請求がなされたものであって、その請求項１〜４に係る発明（以下、順次「本願発明１〜４」という）は、平成１４年５月２７日付け手続補正書により補正された明細書の特許請求の範囲の請求項１〜４に記載されたとおりのものであると認められるところ、本願発明１は次のとおりである。
　「【請求項１】　リチウム遷移金属複合化合物を活物質とする正極、黒鉛を活物質とする負極および正負極間に介在するポリマとリチウム塩を溶解した有機電解液とから成るゲル状ポリマ電解質層とから構成され、前記正極および負極に前記ゲル電解質を含有するリチウム・ポリマ二次電池において、前記正極、負極、電解質層のうち、負極のみに、電池の充放電反応に関与しないＡｌ２Ｏ３，ＳｉＯ２，ＺｒＯ２，ＭｇＯおよびＮａ２Ｏから成る群より選ばれた少なくとも一種以上のセラミックを含有するリチウム・ポリマ二次電池。」
　　
２．原査定の理由
　原査定の理由の概要は、本願発明１〜４は、その出願前に日本国内又は外国において頒布された刊行物である特表平８−５０８８５０号公報（以下、「刊行物１」という）に記載された発明に基づいて当業者が容易に発明をすることができたものであるから、特許法第２９条第２項の規定により、特許を受けることができないというものである。
　
３．刊行物１に記載された事項
　刊行物１（特表平８−５０８８５０号公報）には、次の事項が記載されている。
（摘示１）「１. 電気化学セルに使用するための複合固体電解質（ＣＳＥ）において、ＣＳＥが約０．５より大なるアルカリ金属輸率を有し、ＣＳＥがアルカリ金属と混和性であり、約５μ未満の平均粒度の非電導性酸化物粒子約３０容量％以下、アルカリ金属塩ＭＸ（Ｍはアルカリ金属であり、Ｘは陰イオンである）約７０容量％以下（上記塩はかかる電気化学セル中でアルカリ金属によって還元されず、酸化物粒子は前記塩のマトリックス中に埋め込まれている）、及び電気絶縁エラストマー又は炭化水素重合体約７０容量％以下（上記エラストマーはアルカリ金属塩と錯体を形成する）、及び非プロトン有機溶媒及び低分子量重合体２０容量％以下を含有し、ポリエチレンオキサイド（ＰＥＯ）、ＬｉＩ及びＡｌ２Ｏ３のみからなる系を除くことを特徴とする複合固体電解質（ＣＳＥ）。」（特許請求の範囲の請求項１）
（摘示２）「９．　・・・ＭｘＣから作った陽極、陽極と混和しうる請求の範囲第１項・・・記載の複合固体電解質のセパレーター及び陰極を含み、陽極及び陰極のための集電装置及びアルカリ金属に対して容易に充電されかつ放電され、好ましいＭがＬｉであり、陰極材料を・・・ＬｉｘＭｎＯ２（０．５＜ｘ＜１）・・・から選択し、複合陰極を形成するため炭素及びＣＳＥ組成物と混合されていてもよい・・・バッテリー。」（特許請求の範囲の請求項９）
（摘示３）「好ましくは本発明によるＣＳＥは、０．０５〜０．５μの粒度範囲で酸化物粒子を含有し、それらの量は１〜２０容量％であるのが好ましく・・・。好ましくは使用する粒子は、Ａｌ，Ｓｉ，Ｍｇ・・・又はこれらの任意の混合物の酸化物の粒子であり・・・」（７頁４〜１０行）
（摘示４）「一定の組成範囲で、混合された重合体フィルムは、より良好な機械的安定性及びより高いイオン電導率を有する。」（１２頁６、７行）
（摘示５）「本発明によるセルは・・・ＭｘＣ陽極（ＭｘＣはｘ＜０．２の場合アルカリ金属−炭素又はグラファイト挿入化合物である）・・・を含有する・・・」（８頁１２〜１６行）
（摘示６）「実施例２２ 　３５容量％の石油コークスの微粉末及び６５容量％の下記組成を有するＣＳＥからなる炭素陽極を用いてセルを組立てた。ＣＳＥ組成は、０．３ＭのＬｉ（ＣＦ３−ＳＯ２）２Ｎ、０．７ＭのＬｉＩ、３０容量％のＰＯＥ、３０容量％のＰＣ、３０容量％のＤＥＣ、６容量％のＡｌ２Ｏ３からなる。対極はリチウムホイルであった、それらの間のＣＳＥセパレータは同じ組成からなっていた。このセルを、５０サイクル以上にわたって陽極組成Ｌｉ０Ｃ６及びＬｉ０．４Ｃ６の間で８０℃で充電−放電をした。」（１９頁下から４行〜２０頁３行）
　　　
４．当審の判断　　
（１）刊行物発明
　刊行物１の（摘示２）の請求項９には、「・・・ＭｘＣから作った陽極、陽極と混和しうる請求の範囲第１項・・・記載の複合固体電解質のセパレーター及び陰極を含み、陽極及び陰極のための集電装置及びアルカリ金属に対して容易に充電されかつ放電され、好ましいＭがＬｉであり、陰極材料を・・・ＬｉｘＭｎＯ２（０．５＜ｘ＜１）・・・から選択し、複合陰極を形成するため炭素及びＣＳＥ組成物と混合されていてもよい・・・バッテリー。」と記載されており、このバッテリーは、「好ましいＭがＬｉであ」るから、「ＬｉｘＣから作った陽極」を含むものであるし、また、「陽極及び陰極のための集電装置及びアルカリ金属に対して容易に充電されかつ放電され」るのであるから二次バッテリーである。さらに、（摘示１）の請求項１の記載を参照すると、上記「陽極と混和しうる請求の範囲第１項・・・記載の複合固体電解質」は、「非電導性酸化物粒子・・・アルカリ金属塩ＭＸ（Ｍはアルカリ金属であり、Ｘは陰イオンである）・・・及び電気絶縁エラストマー又は炭化水素重合体・・・及び非プロトン有機溶媒及び低分子量重合体・・・を含有・・・する複合固体電解質（ＣＳＥ）。」（摘示１）であるし、「好ましいＭがＬｉであ」（摘示２）るから、上記「アルカリ金属塩ＭＸ（Ｍはアルカリ金属であり、Ｘは陰イオンである）」として、「ＬｉＸ（Ｘは陰イオンである）」を含むものである。そして、上記複合固体電解質（ＣＳＥ）の成分である「電気絶縁エラストマー又は炭化水素重合体」及び「低分子量重合体」は、「ポリマ」である。
　これらの事項によると、刊行物１には、「ＬｉｘＣから作った陽極、非電導性酸化物粒子、ＬｉＸ（Ｘは陰イオンである）、非プロトン有機溶媒、ポリマを含有する複合固体電解質（ＣＳＥ）のセパレーター、及び陰極を含み、陰極材料のＬｉｘＭｎＯ２（０．５＜ｘ＜１）が、複合陰極を形成するため炭素及びＣＳＥ組成物と混合されている二次バッテリー」が記載されているといえる。
　そして、「非電導性酸化物粒子、ＬｉＸ（Ｘは陰イオンである）、非プロトン有機溶媒、ポリマを含有する複合固体電解質（ＣＳＥ）」は、ポリマとＬｉＸ（Ｘは陰イオンである）を溶解した非プロトン有機溶媒とから成るゲル状ポリマ電解質に、非電導性酸化物粒子を含有させたものであるといえるし、「複合固体電解質（ＣＳＥ）のセパレーター」は、「複合固体電解質（ＣＳＥ）層」といえる。また、上記二次バッテリーの陰極は、ＣＳＥ組成物を含有する複合陰極であって、この「ＣＳＥ組成物」は、セパレーターである「複合固体電解質（ＣＳＥ）」と同じものであるから、陰極は、非電導性酸化物粒子を含有させたゲル状ポリマ電解質を含有するものであるといえる。　
　また、「ＭｘＣ陽極（ＭｘＣはｘ＜０．２の場合アルカリ金属−炭素又はグラファイト挿入化合物である）」（摘示５）という記載によると、「ＬｉｘＣ」は、ｘ＝０の場合（Ｌｉ０Ｃ）には炭素又はグラファイトであるから、上記「ＬｉｘＣから作った陽極」は、グラファイトを活物質とする陽極を含むものである。また、実施例２２の「炭素陽極」は、「石油コークスの微粉末及び・・・下記の組成を有するＣＳＥからなる」（摘示６）ものであって、「下記の組成」とは、「Ｌｉ（ＣＦ３−ＳＯ２）２Ｎ・・・ＬｉＩ・・・ＰＯＥ・・・ＰＣ・・・ＤＥＣ・・・Ａｌ２Ｏ３からなる」（摘示６）ＣＳＥ組成であるから、この炭素陽極（石油コークスを活物質とする陽極）は、非電導性酸化物粒子（Ａｌ２Ｏ３）を含有させたゲル状ポリマー電解質［ポリマ（ＰＯＥ）と、ＬｉＸ（Ｌｉ（ＣＦ３−ＳＯ２）２Ｎ、ＬｉＩ）を溶解した非プロトン有機溶媒（ＰＣ、ＤＥＣ）からなる］を含有するといえる。そうすると、刊行物１には、「ＬｉｘＣから作った陽極」として「黒鉛（グラファイト）を活物質とする陽極」が開示されているといえるし、この陽極が、非電導性酸化物粒子を含有させたゲル状ポリマー電解質を含有することも開示されているといえる。
　さらに、上記「非電導性酸化物粒子」は、（摘示３）によると、「Ａｌ，Ｓｉ，Ｍｇ・・・又はこれらの任意の混合物の酸化物の粒子」であるし、「陰極（ｃａｔｈｏｄｅ）」、「陽極（ａｎｏｄｅ）」は、それぞれ「正極」、「負極」に相当する。
　これらの事項を本願発明１の記載ぶりに則して整理すると、刊行物１には、「ＬｉｘＭｎＯ２（０．５＜ｘ＜１）を活物質とする正極、黒鉛を活物質とする負極、及び正負極間に介在するポリマとＬｉＸ（Ｘは陰イオンである）を溶解した非プロトン有機溶媒とから成るゲル状ポリマ電解質層とから構成され、前記正極及び負極に前記ゲル電解質を含有する二次バッテリーにおいて、前記正極、負極、及び電解質層に、電池の充放電反応に関与しないＡｌ２Ｏ３，ＳｉＯ２，及びＭｇＯから成る群より選ばれた少なくとも一種以上のセラミックを含有する二次バッテリー」という発明（以下、「刊行物発明」という）が記載されているといえる。
　　　
（２）本願発明１と刊行物発明との対比
　本願発明１と刊行物発明を対比すると、刊行物発明の「ＬｉｘＭｎＯ２（０．５＜ｘ＜１）」、「ＬｉＸ（Ｘは陰イオンである）」、「二次バッテリー」は、本願発明１の「リチウム遷移金属複合化合物」、「リチウム塩」、「リチウム・ポリマ二次電池」にそれぞれ相当し、刊行物発明の「ＬｉＸ（Ｘは陰イオンである）を溶解した非プロトン有機溶媒」は「リチウム塩を溶解した有機電解液」といえるものであるから、両者は、
　「リチウム遷移金属複合化合物を活物質とする正極、黒鉛を活物質とする負極および正負極間に介在するポリマとリチウム塩を溶解した有機電解液とから成るゲル状ポリマ電解質層とから構成され、前記正極および負極に前記ゲル電解質を含有するリチウム・ポリマ二次電池において、前記負極に、電池の充放電反応に関与しないＡｌ２Ｏ３，ＳｉＯ２およびＭｇＯから成る群より選ばれた少なくとも一種以上のセラミックを含有するリチウム・ポリマ二次電池」である点で一致し、以下の点で相違する。
相違点：本願発明１は、「正極、負極、電解質層のうち、負極のみに」セラミックを含有するのに対し、刊行物発明は、正極、負極、及び電解質層にセラミックを含有する点。
　
（３）相違点についての判断
　刊行物発明が、正極、負極、及び電解質層にセラミックを含有することの技術的意義は、「一定の組成範囲で、混合された重合体フィルム（複合固体電解質層）は、より良好な機械的安定性及びより高いイオン電導率を有する。」（摘示４）という記載を参酌すると、セラミックを一定の組成範囲で混合したゲル電解質及び電解質層は、より良好な機械的安定性及びより高いイオン電導率を有するものであって、電池性能を向上させることができるためであるといえる。そうであれば、刊行物発明において、正極、負極、及び電解質層にセラミックを含有させることに代えて、負極のみにセラミックを含有させた場合にも、正極、負極、及び電解質のいずれにもセラミックを含有しない従来の電池よりも電池性能が向上することは、当業者が容易に想到することである。
　してみると、刊行物発明において本願発明１の相違点に係る構成とすることは、刊行物１のその他の記載事項から当業者が適宜なし得たことであるといえる。
　したがって、本願発明１は、刊行物発明に基づいて当業者が容易に発明をすることがきたものである。
　　
５．むすび
　以上のとおり、本願発明１は、特許法第２９条第２項の規定により特許を受けることができないものであるから、本願は、その他の発明について検討するまでもなく、拒絶すべきものである。
　よって、結論のとおり審決する。